(57)【特許請求の範囲】
【請求項１】
制御可能なブレーキ力増幅装置（１３）を備えたマスタ・ブレーキ・シリンダ（２）と、
ブレーキ昇圧弁（６）を介して前記マスタ・ブレーキ・シリンダ（２）に接続されている少なくとも１つの車輪ブレーキ（４）と、
前記少なくとも１つの車輪ブレーキ（４）の車輪ブレーキ圧力がそれにより低下可能なブレーキ降圧弁（８）と、
を含む、アンチロック制御装置（１２）を有する油圧式車両ブレーキ装置（１）の作動方法において、
アンチロック制御の間、前記ブレーキ力増幅装置（１３）の外力が低減されること、
アンチロック制御装置（１２）が油圧ポンプ（９）を有し、油圧ポンプ（９）の吸込側はブレーキ降圧弁（８）に、および油圧ポンプ（９）の吐出側はブレーキ昇圧弁（６）とマスタ・ブレーキ・シリンダ（２）との間に接続されていること、および
アンチロック制御の間、油圧ポンプ（９）が運転されたとき、前記ブレーキ力増幅装置（１３）の外力が、油圧ポンプ（９）の吐出側と吸込側との間の圧力差の関数として上昇されること、
を特徴とするアンチロック制御装置を有する油圧式車両ブレーキ装置の作動方法。
【請求項２】
車両ブレーキ装置（１）が電気機械式ブレーキ力増幅装置（１３）を有することを特徴とする請求項１に記載の作動方法。
【請求項３】
アンチロック制御装置（１２）が少なくとも１つの遮断弁（３）を有し、遮断弁（３）を介して車両ブレーキ装置（１）がマスタ・ブレーキ・シリンダ（２）に接続されていること、および
車輪滑り制御において前記遮断弁（３）が閉鎖されたとき、前記ブレーキ力増幅装置が遮断されること、
を特徴とする請求項１に記載の作動方法。
【請求項４】
アンチロック制御の間、ブレーキ力増幅装置（１３）の外力は、車両ブレーキ装置（１）の車輪ブレーキ（４）内の車輪ブレーキ圧力の関数として、マスタ・ブレーキ・シリンダ圧力が車輪ブレーキ（４）内の最高車輪ブレーキ圧力より小さくないように制御されることを特徴とする請求項１に記載の作動方法。
【請求項５】
アンチロック制御の間、ブレーキ力増幅装置（１３）の外力は、車両車輪がロックされたときのロック圧力の関数として、マスタ・ブレーキ・シリンダ圧力が前記ロック圧力より小さくないように制御されることを特徴とする請求項１に記載の作動方法。
【請求項６】
アンチロック制御装置（１２）が油圧ポンプ（９）を有し、油圧ポンプ（９）の吸込側はブレーキ降圧弁（８）に、および油圧ポンプ（９）の吐出側はブレーキ昇圧弁（６）とマスタ・ブレーキ・シリンダ（２）との間に接続されていること、および
アンチロック制御の間、油圧ポンプ（９）が運転されたとき、前記ブレーキ力増幅装置（１３）の特性変数が操作／制御されること、を特徴とする請求項１に記載の作動方法。
【請求項７】
前記ブレーキ力増幅装置（１３）の位置またはブレーキ力増幅装置（１３）の電動機（１４）のトルクが制御／操作されることを特徴とする請求項６に記載の作動方法。
【発明の詳細な説明】
【技術分野】
【０００１】
本発明は、請求項１の上位概念の特徴をもつ、制御可能なブレーキ力増幅装置を備えたマスタ・ブレーキ・シリンダを有する油圧式車両ブレーキ装置の作動方法に関するものである。
【背景技術】
【０００２】
独国特許出願公開第１０３２７５５３号明細書から、ブレーキ力増幅装置以外は通常の構造タイプであるこのような油圧式車両ブレーキ装置が既知である。車両ブレーキ装置は二回路マスタ・ブレーキ・シリンダを有し、二回路マスタ・ブレーキ・シリンダに、２つのブレーキ回路に分割された４つの車輪ブレーキが接続されている。この発明に対して、二回路車両ブレーキ装置は、より多い車輪ブレーキと同様に、必ずしも強制されるものではない。さらに、既知の車両ブレーキ装置は、（ブレーキ）アンチロック制御装置、駆動滑り制御装置、車両動特性制御装置および／または安定性制御装置のような名称で、並びにＡＢＳ、ＡＳＲ、ＦＤＲ、ＥＳＰのような略号で呼ばれる車輪滑り制御装置を有している。車輪滑り制御装置の油圧部分は、各車輪ブレーキに対して、ブレーキ昇圧弁およびブレーキ降圧弁を含み、並びに各ブレーキ回路に対して、油圧ポンプと、マスタ・ブレーキ・シリンダがそれにより油圧的にブレーキ回路から遮断可能な遮断弁と、および急速なブレーキ昇圧のためにマスタ・ブレーキ・シリンダがそれにより油圧ポンプの吸込側と結合可能な吸込弁と、を含む。このような車輪滑り制御装置およびその機能方法がそれ自身既知であるので、ここでは詳細に説明されないものとする。
【０００３】
負圧式ブレーキ力増幅装置の代わりに、既知の車両ブレーキ装置は、中空軸電動機を備えた電気機械式ブレーキ力増幅装置を有し、中空軸電動機のロータはスピンドル駆動ナットを有し、スピンドル駆動ナットは電動機の回転駆動運動をマスタ・ブレーキ・シリンダを操作するための並進運動に変換する。本発明に対しては、電気機械式ブレーキ力増幅装置の他の構造もまた可能であり、例えばブレーキ力増幅装置は、場合により、マスタ・ブレーキ・シリンダを操作するために電動機の回転駆動運動を並進運動に変換するための、ラックを駆動するためのウォームを備えたラック伝動装置を有していてもよい。リニアモータ、電磁石または圧電素子を有する電気機械式ブレーキ力増幅装置もまた本発明による方法に使用可能である。説明はまだ続く。
【０００４】
車両ブレーキ装置は補助力ブレーキ装置であり、即ち、マスタ・ブレーキ・シリンダを操作するための操作力は、一部車両ドライバから筋力として与えられ、残りは電気機械式ブレーキ力増幅装置から外力として与えられる。操作力がもっぱらブレーキ力増幅装置から外力として発生され、且つブレーキ操作のために車両ドライバから与えられる筋力または車両ドライバから与えられる操作ストロークもまた、外力として表わされるブレーキ力増幅装置の力を操作／制御するための目標変数として使用される、外力ブレーキ装置としての作動もまた考えられる。
【先行技術文献】
【特許文献】
【０００５】
【特許文献１】独国特許出願公開第１０３２７５５３号明細書
【発明の概要】
【０００６】
請求項１の特徴を有する本発明による方法は、アンチロック制御の間、ここでは外力として表わされているブレーキ力増幅装置の力を低減させるように設計されている。本発明による方法は、（ブレーキ）アンチロック制御の間、車両ブレーキ装置の全ての車輪ブレーキに適用可能である。アンチロック制御において、通常、制御される車両車輪の車輪ブレーキ内の車輪ブレーキ圧力は、ブレーキ降圧弁を開放することにより低下される。車輪ブレーキ圧力の低下はブレーキ昇圧弁およびブレーキ降圧弁による車輪ブレーキ圧力の調節によってもまた実行可能である。全ての車輪ブレーキ内の車輪ブレーキ圧力が低下されるときは、いずれにせよ、アンチロック制御の開始前に作用していたより高い作動ブレーキ圧力をマスタ・ブレーキ・シリンダ内に正確に保持すること、またはアンチロック制御のないときに作用したであろうブレーキ圧力をマスタ・ブレーキ・シリンダにより形成すること、は必要ではない。ブレーキ力増幅装置の外力の低減は特にブレーキ力増幅装置の増幅の低減により行われる。本発明による方法により、電気機械式ブレーキ力増幅装置の電流消費したがってその熱負荷並びに車両ブレーキ装置を備えている車両の搭載電源の電流負荷が低減される。ブレーキ力増幅装置の外力の低減、したがってマスタ・ブレーキ・シリンダ圧力の低下により、油圧ポンプは低下されたマスタ・ブレーキ・シリンダ圧力に対して吐出するので、通常リターン・ポンプと呼ばれている車輪滑り制御装置の油圧ポンプの吐出出力は低減される。マスタ・ブレーキ・シリンダ圧力の低下、したがって車両ブレーキ装置の圧力レベルの低下は、全体として、その他の油圧部品、例えば車輪滑り制御装置の電磁弁の負荷もまた低減させ、このことは、油圧部品の寿命にも有利に働く。アンチロック制御の間における車輪滑り制御装置の騒音発生もまた、圧力レベルの低下により低減される。外力は連続的にまたは周期的に低減可能である。
【０００７】
従属請求項は、請求項１に記載の本発明の有利な形態および変更態様を対象として有している。
【０００８】
基本的に、本発明による方法は、車輪滑り制御装置または少なくとも１つの（ブレーキ）アンチロック制御装置を有する油圧式車両ブレーキ装置であって、車両ブレーキ装置のマスタ・ブレーキ・シリンダが制御可能なブレーキ力増幅装置を有する全ての油圧式車両ブレーキ装置に対して適用可能である。制御可能とは、ブレーキ力増幅装置の外力が車両ドライバによる筋力操作のみにより制御されるのではなく、外力がさらに例えば制御装置により操作／制御可能であることを意味する。負圧式ブレーキ力増幅装置においては、外力の制御は、例えば、それによりブレーキ力増幅装置の負圧室が通気可能な電磁弁によって可能である。電磁弁により、操作／制御可能に、負圧式ブレーキ力増幅装置の負圧室内に作業室内の圧力に対する背圧が形成され、この背圧は通常サーボ弁により通気可能であり、サーボ弁はブレーキ力増幅装置の筋力操作により制御される。本発明は、その外力が電気的に操作／制御される電気機械式ブレーキ力増幅装置を備えていることが好ましい（請求項２）。
【０００９】
以下に本発明が図面により詳細に説明される。
【図面の簡単な説明】
【００１０】
【図１】図１は、本発明による方法を実行するための油圧式車両ブレーキ装置の油圧回路図を示す。
【発明を実施するための形態】
【００１１】
図示されている油圧式車両ブレーキ装置１は、車輪滑り制御装置１２（アンチロック制御ＡＳＢ；駆動滑り制御ＡＳＲ；走行動特性制御ＦＤＲ，ＥＳＰ）を有している。車輪滑り制御装置１２は２つのブレーキ回路Ｉ、ＩＩを有する二回路ブレーキ装置として形成され、２つのブレーキ回路Ｉ、ＩＩはマスタ・ブレーキ・シリンダ２に接続されている。各ブレーキ回路Ｉ、ＩＩは遮断弁３を介してマスタ・ブレーキ・シリンダ２に接続されている。遮断弁３はその無通電基本位置において開放する２／２方電磁弁である。遮断弁３にそれぞれ、マスタ・ブレーキ・シリンダ２から車輪ブレーキ４に流動可能な逆止弁５が油圧的に並列配置されている。各ブレーキ回路Ｉ、ＩＩの遮断弁３に、車輪ブレーキ４がブレーキ昇圧弁６を介して接続されている。ブレーキ昇圧弁６はその無通電基本位置において開放する２／２方電磁弁である。ブレーキ昇圧弁６に逆止弁７が並列配置され、逆止弁７は車輪ブレーキ４からマスタ・ブレーキ・シリンダ２の方向に流動可能である。
【００１２】
各車輪ブレーキ４にブレーキ降圧弁８が接続され、ブレーキ降圧弁８は共に油圧ポンプ９の吸込側に接続されている。ブレーキ降圧弁８はその無通電基本位置において閉鎖される２／２方電磁弁として形成されている。油圧ポンプ９の吐出側はブレーキ昇圧弁６と遮断弁３との間に接続され、即ち、油圧ポンプ９の吐出側は、ブレーキ昇圧弁６を介して車輪ブレーキ４と、および遮断弁３を介してマスタ・ブレーキ・シリンダ２と結合されている。ブレーキ昇圧弁６およびブレーキ降圧弁８は、より良好な操作性／制御性を目的として比例弁である。油圧ポンプ９はしばしばリターン・ポンプ（戻しポンプ）と呼ばれる。
【００１３】
両方のブレーキ回路Ｉ、ＩＩの各々は油圧ポンプ９を有し、油圧ポンプ９は共に１台の電動機１０により駆動可能である。油圧ポンプ９の吸込側はブレーキ降圧弁８に接続されている。油圧ポンプ９の吸込側に、車輪滑り制御の間にブレーキ降圧弁８の開放により車輪ブレーキ４から流出した油圧液を受け入れ且つ中間貯蔵するための油圧蓄積器１１が設けられている。
【００１４】
ブレーキ昇圧弁６およびブレーキ降圧弁８は車輪ブレーキ圧力調節弁装置を形成し、車輪ブレーキ圧力調節弁装置により、油圧ポンプ９が駆動されたとき、既知のように且つここでは説明されていない方法で、車輪滑り制御のための車輪ごとのブレーキ圧力制御が可能である。車輪滑り制御においてマスタ・ブレーキ・シリンダ２が操作されていないときはいつでも、車輪ブレーキ４を操作するための油圧を油圧ポンプ９により上昇可能にするために遮断弁３は閉鎖され、即ち車両ブレーキ装置１は油圧的にマスタ・ブレーキ・シリンダ２から切り離されている。マスタ・ブレーキ・シリンダ２が通常のように操作され且つ車両ブレーキ装置１内に油圧がかかっている（ブレーキ）アンチロック制御においては、遮断弁３は通常のように開放したままである。
【００１５】
各ブレーキ回路Ｉ、ＩＩ内の吸込弁１９により、油圧ポンプ９の吸込側はマスタ・ブレーキ・シリンダ２と結合可能である。吸込弁１９は無通電基本位置において閉鎖される２／２方電磁弁である。吸込弁１９が開放されたとき、油圧ポンプ９はブレーキ液を直接マスタ・ブレーキ・シリンダ２から吸い込み、これにより、マスタ・ブレーキ・シリンダ２が操作されていないときないしは車両ブレーキ装置１に圧力がかかっていないとき、油圧ポンプ９によってより急速なブレーキ昇圧が可能である。
【００１６】
マスタ・ブレーキ・シリンダ２は電気機械式ブレーキ力増幅装置１３を有し、ブレーキ力増幅装置１３は電動機１４によりここでは外力と呼ばれる力を発生し、この外力は、ブレーキ・ペダル１５を介して与えられる筋力と共にマスタ・ブレーキ・シリンダ２を操作する。記号で示された電動機１４はブレーキ力増幅装置１３内に組み込まれている。電動機１４は回転モータであってもよく、回転モータの回転運動は変速機を介して変速され且つマスタ・ブレーキ・シリンダ２を操作するための並進運動に変換される。ブレーキ力増幅装置１３の設計は電気リニアモータまたは電磁石によってもまた可能である。説明はまだ続く。
【００１７】
ブレーキ力増幅装置１３を含む車両ブレーキ装置１を操作／制御するために電子制御装置１６が設けられている。力センサ１７により、ブレーキ・ペダル１５に与えられたペダル力が測定可能であり、およびストローク・センサ１８により、ブレーキ・ペダル１５の位置が測定可能である。
【００１８】
本発明により、ブレーキ力増幅装置１３がマスタ・ブレーキ・シリンダ２に与える外力は、アンチロック制御（ＡＢＳ）の間は低減される。ブレーキ力増幅装置１３の力増幅は低減される。アンチロック制御が終了したのち、ブレーキ力増幅装置１３は再び設定どおりに操作／制御される。本発明による方法は、車両ブレーキ装置１の操作において車両車輪がロックする傾向があるとき、特に、制動される全ての車両車輪がブレーキ操作においてロックする傾向があり且つ滑り制御されるとき、（ブレーキ）アンチロック制御の間に適用される。
【００１９】
アンチロック制御のために遮断弁３が閉鎖された場合、ブレーキ力増幅装置１３の外力は著しく低減され且つ０になるまで低減されてもよい。アンチロック制御におけるブレーキ力増幅装置１３の外力の低減は、経験値まで、即ち、アンチロック制御においてブレーキ操作のために通常十分である所定の値または設定可能な値まで可能である。アンチロック制御の間、ブレーキ力増幅装置１３は、マスタ・ブレーキ・シリンダ２内のマスタ・ブレーキ・シリンダ圧力が、少なくとも車輪ブレーキ４内の最高車輪ブレーキ圧力と同じ大きさであるように操作／制御されてもよい。マスタ・ブレーキ・シリンダ２内には、より高い圧力は必要ではない。予め１つの係数だけまたは所定の値だけより高いマスタ・ブレーキ・シリンダ圧力が、ブレーキ力増幅装置１３の操作／制御により設定されてもよい。他の可能性は、アンチロック制御の間、マスタ・ブレーキ・シリンダ２内のマスタ・ブレーキ・シリンダ圧力が車輪ブレーキ４内のロック圧力より小さくないようにブレーキ力増幅装置１３を操作／制御することである。ロック圧力とは、制動される車両車輪をロックするために十分な圧力である。この場合もまた、１つの係数だけまたは所定の値だけより高いマスタ・ブレーキ・シリンダ圧力が操作／制御されてもよい。
【００２０】
アンチロック制御の間に油圧ポンプ９が運転された場合、遮断弁３が開放しているとき、油圧ポンプ９の吐出圧力はマスタ・ブレーキ・シリンダ圧力を上昇させ、および／またはリターン・ポンプ９によりマスタ・ブレーキ・シリンダ２内に吐出されるブレーキ液容積はブレーキ・ペダル１５を押し戻す。各々の場合に車両ドライバはブレーキ・ペダル１５を介して反力を受け、ドライバはこの反力を通常不快に感じ且つこの反力はドライバを不安にさせることがある。したがって、本発明による方法の構成は、ブレーキ力増幅装置１３をその位置に操作／制御し、即ちマスタ・ブレーキ・シリンダ・ピストンの移動を操作／制御するように設計されている。この操作／制御は、操作されたブレーキ力増幅装置１３の位置が不変のままであるように、または操作／制御が例えばストローク・センサ１８および／または力センサ１７の関数として可能なように行われる。他の可能性は、ブレーキ力増幅装置１３の電動機１４のトルク制御である。一般に、ブレーキ力増幅装置１３の特性変数の制御／操作が行われてもよく、この場合、選択された特性変数は、油圧ポンプ９の吐出圧力のマスタ・ブレーキ・シリンダ２への作用の少なくとも一部の調整を可能にしなければならない。ブレーキ力増幅装置１３の力増幅は、この制御／操作においては上昇され、これにより、油圧ポンプ９がアンチロック制御の間運転されたとき、車両ドライバによりブレーキ・ペダル１５に与えられる筋力は、油圧ポンプ９の吐出圧力によって変化することはない。
【００２１】
他の方式は、ブレーキ・ペダル１５に与えられる筋力を増大させることなく、ブレーキ力増幅装置１３の外力の上昇によりマスタ・ブレーキ・シリンダ２内のマスタ・ブレーキ・シリンダ圧力を上昇させることである。言い換えると、アンチロック制御の間ブレーキ力増幅装置１３の外力の低減により低下されたマスタ・ブレーキ・シリンダ圧力は、油圧ポンプ９が運転されたとき、上昇される。しかしながら、ブレーキ力増幅装置１３の外力は、アンチロック制御なしに与えられたブレーキ操作において存在するであろうよりも低いままである。マスタ・ブレーキ・シリンダ圧力を上昇させる油圧ポンプ９の吐出圧力は、ブレーキ力増幅装置１３の外力の上昇により、特にブレーキ力増幅装置１３の力増幅の上昇により、少なくとも一部補償される。それにもかかわらず、マスタ・ブレーキ・シリンダ圧力は、アンチロック制御がないときのマスタ・ブレーキ・シリンダ圧力より低いままである。この方式の説明および理解のために、油圧ポンプ９の吐出圧力は、制御技術の意味において、マスタ・ブレーキ・シリンダ圧力を変化させ、特に上昇させる外乱変数とみなし得る。油圧ポンプ９の吐出圧力を補償するために、ブレーキ力増幅装置１３の外力即ちブレーキ力増幅装置１３の力増幅が上昇される。即ち、マスタ・ブレーキ・シリンダ圧力は例えば経験値だけ上昇され、且つブレーキ力増幅装置１３の操作／制御により上昇されたこのマスタ・ブレーキ・シリンダ圧力は、アンチロック制御の間、油圧ポンプ９の運転の間保持される。これにより、油圧ポンプ９のマスタ・ブレーキ・シリンダ２への反作用およびマスタ・ブレーキ・シリンダ２を介してブレーキ・ペダル１５への反作用は少なくとも一部調整される。
【符号の説明】
【００２２】
１  車両ブレーキ装置
２  マスタ・ブレーキ・シリンダ
３  遮断弁
４  車輪ブレーキ
５、７  逆止弁
６  ブレーキ昇圧弁
８  ブレーキ降圧弁
９  油圧ポンプ
１０、１４  電動機
１１  油圧蓄積器
１２  アンチロック制御装置（車輪滑り制御装置）
１３  ブレーキ力増幅装置
１５  ブレーキ・ペダル
１６  電子制御装置
１７  力センサ
１８  ストローク・センサ
１９  吸込弁
Ｉ、ＩＩ  ブレーキ回路
【図１】
0005395913.tif 000002